(57)【要約】【課題】釣糸がループ状に引っ掛かっても抜け易い構造の釣糸ガイドを提供する。【解決手段】本発明に係る釣糸ガイド５は、釣竿の外表面に装着される固定部５ａと、釣糸が挿通されるガイドリング７が取り付けられたリング保持部５ｂと、リング保持部５ｂと固定部５ａとの間を連結する連結部５ｃと、を具備したフレーム５Ａを有している。そして、フレーム５Ａは、連結部５ｃとリング保持部５ｂとの変曲点Ｐ２における幅をＷａ、リング保持部５ｂにおける最大幅をＷｂとした場合、幅Ｗａを最大幅Ｗｂの７０％以上にしたことを特徴とする。【選択図】  図２
2015047079.tif 000002
【特許請求の範囲】
【請求項１】
釣竿の軸長方向に多数装着される釣糸ガイドであって、
前記釣糸ガイドは、前記釣竿の外表面に装着される固定部と、釣糸が挿通されるガイドリングが取り付けられたリング保持部と、前記リング保持部と固定部との間を連結する連結部と、を具備したフレームを有しており、
前記フレームは、前記連結部とリング保持部との変曲点における幅をＷａ、前記リング保持部における最大幅をＷｂとした場合、前記幅Ｗａを前記最大幅Ｗｂの７０％以上にしたことを特徴とする釣糸ガイド。
【請求項２】
前記フレームの側面は、前記変曲点における幅の位置から前記最大幅の位置まで直線状に形成されていることを特徴とする請求項１に記載の釣糸ガイド。
【請求項３】
請求項１又は２に記載の前記釣糸ガイドを装着したことを特徴とする釣竿。
【発明の詳細な説明】
【技術分野】
【０００１】
本発明は、釣竿に装着されて釣糸を案内する釣糸ガイドに関し、詳細には、実釣時に釣糸が引っ掛かっても抜け易い構造の釣糸ガイド、及び、そのような釣糸ガイドを装着した釣竿に関する。
【背景技術】
【０００２】
従来、上記した釣糸ガイドは、釣竿の外表面に装着されるフレームと、フレームに止着され、実際に釣糸が挿通されるガイドリングとを備えた構成となっている。前記フレームは、例えば、特許文献１に記載されているように、ステンレスやチタン等の金属製の板材料をプレス加工することで一体形成されており、フレームには、釣糸を挿通させるガイドリングを保持するためのリング保持部と、釣竿の外表面に装着するための固定部が一体形成されている。また、最近では、例えば、特許文献２に記載されているように、フレームを繊維強化樹脂材料によって形成することも知られている。
【０００３】
一般的に釣糸ガイドは、上記した特許文献１，２に開示されているように、釣糸が引っ掛かっても容易に解消できるように、前方に傾斜させた構成（６０°〜４５°）となっている。
【先行技術文献】
【特許文献】
【０００４】
【特許文献１】特開平１０−１３６８３９号
【特許文献２】特開２０１１−１１０００７号
【発明の概要】
【発明が解決しようとする課題】
【０００５】
ところで、釣糸ガイドの固定部の幅は、竿径に合せるため、穂先側に移行する程、細くなっている。このため、固定部からリング保持部へ移行する部分は、幅方向に大きく膨出する形状となっており、このような形状では、釣糸がループ状に引っ掛かると抜け難いという問題が生じる。特に、船釣りでは、釣竿の外表面に所定間隔をおいて装着されている釣糸ガイドのいずれかに釣糸がループ状に引っ掛かると、釣竿の穂先を下方に向けても抜け難く、手を伸ばして糸絡みを解消する必要があり煩わしい。
【０００６】
ところで、釣糸ガイドに釣糸がループ状に引っ掛かって抜けなくなる原因は、釣糸ガイドの固定部からリング保持部に移行するにあたり、幅方向（釣竿の軸長方向と直交する方向）にリング保持部が大きく膨らんでいることにあると考えられる。また、板状に形成されるリング保持部と釣竿の表面に固定される固定部とを連結する部位（以下、連結部と称する）は、製造上の理由等によって、比較的、短い距離の湾曲面で構成されることが多く、釣糸は、このような湾曲面（リング保持部の根元）に引っ掛かることが多く、このような位置で引っ掛かると、その先で膨出するガイドリング保持部との境界部分、詳細には、連結部とガイドリング保持部との間の変曲点位置で停止し易くなってしまい抜けなくなることが多い。
【０００７】
本発明は、上記した問題に着目してなされたものであり、釣糸がループ状に引っ掛かっても抜け易い構造の釣糸ガイド、及び、そのような釣糸ガイドを装着した釣竿を提供することを目的とする。
【課題を解決するための手段】
【０００８】
上記した目的を達成するために、本発明は、釣竿の軸長方向に多数装着される釣糸ガイドであって、前記釣糸ガイドは、前記釣竿の外表面に装着される固定部と、釣糸が挿通されるガイドリングが取り付けられたリング保持部と、前記リング保持部と固定部との間を連結する連結部と、を具備したフレームを有しており、前記フレームは、前記連結部とリング保持部との変曲点における幅をＷａ、前記リング保持部における最大幅をＷｂとした場合、前記幅Ｗａを前記最大幅Ｗｂの７０％以上にしたことを特徴とする。
【０００９】
通常、釣糸ガイドのフレームに釣糸がループ状に引っ掛かると、穂先側に抜けようとするが、最も大きな抵抗となる位置は、フレームの連結部とリング保持部との間の変曲点となる位置である。すなわち、釣糸は、フレーム側面の変曲点位置で引っ掛かり易いが、上記した構成のフレームでは、連結部とリング保持部との間の変曲点位置における幅Ｗａがリング保持部における最大幅Ｗｂの７０％以上となるように形成されているため、釣糸が停止し易い変曲点位置で釣糸が引っ掛かっても、ある程度の引張力（仕掛けに付けた錘によって生じる引張力）が作用すれば、この位置からリング保持部へ向けて通過し易くなり、フレーム部分を抜け易くなる。
【００１０】
上記した構成において、フレームを構成するリング保持部とは、釣糸が挿通するガイドリングが固定（圧入、接着、カシメ等による固定）される部分が該当し、側面視した際、平面状に形成される部分が該当する。また、フレームを構成する固定部とは、釣竿の外表面に糸止め等によって固定される部分が該当し、前記リング保持部と固定部との間は、連結部によって連結された状態となる。この場合、リング保持部は、ガイドリングを釣竿表面から所定の高さで保持するため、前記連結部は、固定部に対して立ち上げられるように屈曲する部分が該当し、固定部に対して所定の角度で立ち上がってリング保持部と一体化する部分であることから、側面視した際、湾曲状（又は直線状）に屈曲する部分となる。連結部の長さ（固定部との変曲点、及び、リング保持部との変曲点間の長さ）については限定されることはないが、ある程度長く形成することにより、ループ状に引っ掛かった釣糸が移動し易くなり、前記リング保持部との変曲点の位置で停止する釣糸を抜け易くすることができる。
【発明の効果】
【００１１】
本発明に係る釣糸ガイド、及び釣竿によれば、釣糸がループ状に引っ掛かっても抜け易くなる。
【図面の簡単な説明】
【００１２】
【図１】釣竿に装着された釣糸ガイドに釣糸が引っ掛かった状態を示す図。
【図２】本発明に係る釣糸ガイドの一実施形態を示す図であり、（ａ）は全体構成を示す図、（ｂ）は要部を拡大した側面図。
【図３】従来の釣糸ガイドを示す図であり、（ａ）は全体構成を示す図、（ｂ）は要部を拡大した側面図。
【発明を実施するための形態】
【００１３】
以下、図面を参照しながら、本発明に係る釣糸ガイドの実施形態について説明する。
【００１４】
最初に、図１を参照して、釣竿に装着された釣糸ガイドに釣糸が引っ掛かった状況について説明する。
釣竿１の外表面には、軸長方向に沿って所定の間隔で釣糸ガイド５が装着されている。釣糸ガイド５のガイドリングには、魚釣用リール５０から繰り出される釣糸Ｓが挿通され、その先端には錘を有する仕掛け（図示せず）が締結される。図１に示す釣竿１は、船釣りする際、船縁に固定された状態を示しており、釣竿１は、仕掛けに装着されている錘の負荷Ｗによって穂先が下方に向けて撓んだ状態となっている。
【００１５】
この状態で、釣糸Ｓがいずれかの釣糸ガイド５にループ状に引っ掛かると、フレームが前方に傾斜するように装着されているため抜け易いものの、固定部側に引っ掛かると抜け難くなる。通常、水平面Ｐに対する穂先側の竿１Ａの角度が垂直に近付けば近付く程、釣糸Ｓは抜け易くなるが、釣糸が釣糸ガイドの固定部側に引っ掛かると、図１に示す角度が垂直になっても抜けないことがある。すなわち、水平面Ｐに対する穂先側の竿１Ａの角度が垂直状態になっても抜けなければ、釣人は、穂先竿を掴んで絡まった釣糸をほぐす操作をしなければならない。なお、本発明では、水平面Ｐに対する穂先側の竿１Ａの角度が図１に示すように、概ね７０°以下で抜けることが可能となるようにフレームを形成することを特徴としている。ここで、７０°としたのは、釣糸がループ状に掛かっても、穂先竿が９０°に至る前に抜けてくれることにより、ストレスなく釣りを楽しむことができることを考慮したためである。
【００１６】
図２は、本発明に係る釣糸ガイドの一実施形態を示す図であり、（ａ）は全体構成を示す図、（ｂ）は要部を拡大した側面図である。
本実施形態の釣糸ガイド５は、強化繊維に合成樹脂を含浸した繊維強化プリプレグ（以下、プリプレグと称する）によって形成されたフレーム５Ａによって構成されている。フレーム５Ａは、釣竿（竿管）１の外表面に装着される固定部５ａと、釣糸が挿通されるガイドリング７が取り付けられるリング保持部５ｂと、リング保持部５ｂと固定部５ａとの間を連結する連結部５ｃとを具備しており、片足ガイドとして構成されている。
【００１７】
前記固定部５ａは、フレーム５Ａの下端において、釣竿１の外表面に固定される部位（足部とも称される）であり、本実施形態では軸長方向に延び、その裏側の当接面５ａ´を釣竿の外表面に載置した状態で、糸止め、接着等によって固定される。
【００１８】
前記リング保持部５ｂは、釣竿の外表面から離間した状態で釣糸を案内させるべく、ガイドリング７を止着させる部位であり、側面視した際、平面状に形成される部分である。リング保持部５ｂには、ガイドリング７を嵌入、固定（圧入、接着、カシメ等による固定）させるための開口が形成されており、ガイドリングは全体として略円形の外形状を備えている。なお、開口に嵌入されるガイドリング７は、その内周面（釣糸案内面）の摺動抵抗が小さい部材、例えば、チタン、アルミ、ＳＵＳ、セラミックス等によって形成されている。また、ガイドリングは、図に示すような円形に限らず、略楕円形にする等、その形状については限定されることはない。
【００１９】
前記連結部５ｃは、ガイドリング７を釣竿の表面から離間させるように、固定部５ａとリング保持部５ｂとを連結する部位である。具体的には、固定部５ａからガイドリング保持部５ｂを所定の角度θで立ち上げる領域であり、固定部５ａに対して湾曲状に屈曲してリング保持部５ｂと一体化する領域である。このため、連結部５ｃは、側面視した状態で、固定部５ａ及びリング保持部５ｂとの間で、それぞれ変曲点Ｐ１，Ｐ２を有する。
【００２０】
なお、連結部５ｂの長さ（変曲点Ｐ１，Ｐ２間の長さＬ１；変曲点Ｐ１，Ｐ２を通り、リング保持部５ｂに対する垂線間の距離）については、限定されることはないが、ある程度長く形成する（リングサイズの外径が概ね３．９〜５．３ｍｍのとき、Ｌ１＝２〜４ｍｍ程度にすることが好ましい）ことにより、ループ状に引っ掛かった釣糸が移動し易くなり、前記変曲点Ｐ２の位置で停止する釣糸を抜け易くすることができる。
【００２１】
前記フレーム５Ａは、連結部５ｃとリング保持部５ｂとの変曲点Ｐ２における幅をＷａとし、リング保持部５ｂにおける最大幅をＷｂとした場合、幅Ｗａを最大幅Ｗｂの７０％以上となるように形成されている。本実施形態では、最大幅Ｗｂの位置は、釣竿の軸長方向と直交する直線でガイドリング７の中心を通る位置Ｐ３となっており、フレーム５Ａの側面は、位置Ｐ２に対して位置Ｐ３が径方向外方に大きく膨出しないように形成されている（幅Ｗａが最大幅Ｗｂの７０％以上となるように形成されている）。
【００２２】
通常、釣糸ガイドのフレーム５Ａに釣糸がループ状に引っ掛かると、穂先側に抜けようとするが、最も大きな抵抗となる位置は、上記した変曲点Ｐ２の位置であることから、その変曲点位置における幅Ｗａを、リング保持部５ｂにおける最大幅Ｗｂの７０％以上となるように形成することにより、釣糸が引っ掛かっても、ある程度の引張力（仕掛けにつけた錘によって生じる引張力）が作用することで、フレーム部分を抜け易くすることができる。
【００２３】
なお、図に示す構成のように、位置Ｐ２からＰ３へ移行するフレーム５Ａの側面は、平面視した際、直線状に形成しておくことが好ましく、これにより、釣糸がスムーズに移動することができ、糸絡みを効果的に解除することが可能となる。特に、幅Ｗａを最大幅Ｗｂの９０％以上（１００％以下）に設定し、フレーム５Ａの側面を直線状に形成しておくことで、ループ状に絡んだ釣糸をスムーズに解除することが可能となる。
【００２４】
ここで、図３を参照して、従来型の釣糸ガイドに釣糸Ｓがループ状に引っ掛かったときの状況について説明する。
図３に示すように、釣糸ガイドの固定部５ａからリング保持部５ｂに移行する領域において、幅方向にリング保持部が大きく膨らんでいると、ループ状に引っ掛かった釣糸Ｓが抜ける際に大きな抵抗となってしまう。すなわち、リング保持部５ｂの傾斜角度θが図２に示した構成と同じ角度で同じ引張荷重Ｗが作用しても、釣糸Ｓは、リング保持部５ｂに移行する変曲点Ｐ２の位置で停止してしまい、リング保持部５ｂの側面５ｂ´に沿って移動し難くなる（従来型の釣糸ガイドでは、変曲点位置における幅Ｗａとリング保持部５ｂにおける最大幅Ｗｂの比率は、概ね２０％〜６０％の範囲とされている）
【００２５】
また、リング保持部５ｂと固定部５ａとを連結する連結部５ｃについては、図３に示すように、短い距離Ｌ２の湾曲面で構成すると、釣糸Ｓは、このような湾曲面（リング保持部の根元）に引っ掛かり易くなり、一旦、このような位置で引っ掛かると、その先で径方向に大きく膨出する部分（変曲点Ｐ２の位置）で停止し易くなってしまい抜けなくなることが多い。特に、金属の板材をプレス成形してリング保持部を立ち上げるように折り曲げ加工すると連結部５ｃはきわめて短い距離Ｌ２の湾曲面となってしまい、この位置で釣糸が引っ掛かって停止する蓋然性が高くなる。
【００２６】
次に、以下の表１を参照して、図２に示す形状の釣糸ガイドに関し、実際に幅Ｗａと、最大幅Ｗｂを変えて行った試験の結果について説明する。
【表１】
2015047079.tif 000003
上記した表は、Ｗａの値とＷｂの値がそれぞれ異なる複数の釣糸ガイドＡ〜Ｆを作成して竿杆の外表面に装着すると共に、そこに釣糸（ナイロン１号）をループ状に引っ掛け、所定の荷重Ｗを付加し、その状態で竿杆の先端を次第に下方に回転させて釣糸がガイドから外れる角度（水平線に対する釣竿の傾斜角度；図１参照）を計測したものである。各釣糸ガイドＡ〜Ｆは、プリプレグを積層して形成したものであり、固定部から立ち上がる角度θを４５°に設定してある。
【００２７】
一般的に船釣りでは、仕掛け投入時に、ガイドに糸絡みが生じ易く、図１に示す穂先角度が概ね７０°以下のときにガイドに絡まった釣糸が外れれば、釣竿の操作性は良いと考えられる。表１に示す試験では、ガイドＡ，Ｂ，Ｃについては各２つ作成し、それぞれ３回ずつ実施して、ループ状に掛かった釣糸が外れた角度の平均値を求めたものである。また、ガイドＤ，Ｅ，Ｆについては、各１つ作成し、それぞれ３回ずつ実施して、ループ状に掛かった釣糸が外れた角度の平均値を求めたものである。
【００２８】
釣糸ガイドＣ（Ｗａ／Ｗｂが７２．６％）では、約６４°で糸絡みを解消することができ、釣糸ガイドＤ（Ｗａ／Ｗｂが６５．０％）では、約６９°で糸絡みを解消することができた。
【００２９】
この試験結果によれば、釣糸ガイドのＷａ／Ｗｂを７０．０％以上に設定しておけば、穂先角度が７０°以下のときに確実に糸絡みを解消することができ、操作性の良い釣竿にすることが可能となる。すなわち、釣糸ガイドＤのように、Ｗａ／Ｗｂが６５．０％であっても、６９°で糸絡みが解消できたことを考慮すれば、Ｗａ／Ｗｂが７０％以上に設定されていれば、確実に７０°以下で糸絡みを解消することができ、操作性の良い釣竿とすることが可能となる。なお、実際の釣竿では、穂先が軟らかいものもあり、このような穂先竿では、表１の試験においてループが外れる角度は多少大きくなる傾向となる。
【００３０】
以上、本発明に係る釣糸ガイドの実施形態について説明したが、本発明は、上記した実施形態に限定されることはなく、種々、変形することが可能である。
【００３１】
上述したように、連結部５ｂの表面５ｃ´の長さＬ１については、ある程度、長く確保することにより、釣糸が固定部側に絡んでもリング保持部５ｂ側に移動し易くなり、前記変曲点Ｐ２の位置で停止する釣糸を抜け易くすることができる。また、連結部５ｂの表面５ｃ´については、湾曲することのない傾斜面として構成しても良い。
【００３２】
また、本実施形態の釣糸ガイドを構成するフレームは、繊維強化樹脂で構成したが、ＳＵＳ等の金属材料によって構成しても良く、釣竿の外表面に固定する固定部については、複数（両足ガイド）であっても良い。さらに、上記した構成の釣糸ガイドは、釣竿に装着される全てのガイドに適用しても良いが、釣竿の先端側に装着されるガイドに適用しても良い。
【符号の説明】
【００３３】
１  釣竿
５  釣糸ガイド
５Ａ  フレーム
５ａ  固定部
５ｂ  リング保持部
５ｃ  連結部
７  ガイドリング
【図１】
2015047079.tif 000004
【図２】
2015047079.tif 000005
【図３】
2015047079.tif 000006